(57)【特許請求の範囲】
【請求項１】
第１部材と、
前記第１部材に重なり合う第２部材と、
前記第１部材と前記第２部材とを重ね合わせた状態で係脱可能に係止する係止部と、
前記係止部による前記第１部材と前記第２部材との係止状態を係脱可能にロックするロック部と、
を備え、
前記係止部は、前記第２部材に設けられた係止突起部と、前記第１部材に対してスライド可能に設けられ、前記係止突起部を係脱可能に係止する一対のスライド係止片と、を備えており、
前記ロック部は、前記一対のスライド係止片のスライド方向に対して直交する前記第１部材の長手方向にスライドして、前記係止部の前記係止突起部を係止した前記一対のスライド係止片をロックするロック位置または前記係止部の前記一対のスライド係止片のロックを解除するロック解除位置に配置されるロック部材と、前記ロック部材をそのスライド方向に対して直交する前記第１部材の幅方向の両側から挟持して前記係止部の前記ロック位置または前記ロック解除位置に前記ロック部材を規制する挟持規制部材と、を備え、
前記挟持規制部材は、前記第１部材に取り付けられた挟持本体部と、前記挟持本体部における前記第１部材の前記幅方向の両端部に設けられて前記ロック部材をそのスライド方向と直交する前記第１部材の前記幅方向の両側から弾力的に挟む一対の板ばね部と、を備えていることを特徴とする留め具。
【請求項２】
請求項１に記載の留め具において、前記ロック部材は、前記一対のスライド係止片のスライド方向に対して直交する前記第１部材の前記長手方向にスライドするロック本体部と、前記ロック本体部における前記第１部材の前記幅方向の両側部に設けられ、前記ロック本体部のスライドに応じて前記一対のスライド係止片それぞれに接離可能に当接して、前記一対のスライド係止片の押し込み動作を阻止する一対のロック係止部と、を備えていることを特徴とする留め具。
【請求項３】
請求項２に記載の留め具において、前記ロック本体部における前記第１部材の前記幅方向の両側部には、前記係止部の前記一対のスライド片をロックする前記ロック位置に対応するロック凹部と、前記係止部の前記一対のスライド片に対するロックを解除する前記ロック解除位置に対応するロック解除凹部とが設けられ、前記挟持規制部材の前記一対の板ばね部それぞれには、前記ロック本体部のスライド動作に応じて、前記ロック凹部と前記ロック解除凹部とのいずれかに前記ロック本体部のスライド方向と直交する幅方向の両側から係脱可能に係合する係合突起部が設けられていることを特徴とする留め具。
【請求項４】
請求項２または請求項３に記載の留め具において、前記挟持規制部材は、前記一対の板ばね部それぞれを前記ロック部材のスライド方向と直交する幅方向の両側に押し付ける一対の押え突起部を備えていることを特徴とする留め具。
【請求項５】
請求項１〜請求項４のいずれかに記載の留め具において、前記ロック部は、前記挟持規制部材によって前記ロック部材がそのスライド方向と直交する幅方向の両側から挟み付けた状態で、前記ロック部材をスライド可能に保持するガイド取付部材を備え、前記ガイド取付部材は、前記ロック部材を前記第１部材と前記第２部材との重なり合う方向にスライド可能に押える押え部を備えていることを特徴とする留め具。
【請求項６】
第１部材と、
前記第１部材に重なり合う第２部材と、
前記第１部材と前記第２部材とを重ね合わせた状態で係脱可能に係止する係止部と、
前記係止部による前記第１部材と前記第２部材との係止状態を係脱可能にロックするロック部と、
を備え、
前記ロック部は、前記第１部材の長手方向にスライドして、前記第１部材と前記第２部材との係止状態をロックするロック位置またはロックを解除するロック解除位置に配置されるロック部材と、前記ロック部材をそのスライド方向に対して直交する前記第１部材の幅方向の両側から挟持して前記ロック位置または前記ロック解除位置に規制する挟持規制部材と、を有し、
前記挟持規制部材は、前記ロック部材を弾力的に挟持する一対の板ばね部を備えていることを特徴とする留め具。
【請求項７】
請求項１〜請求項６のいずれかに記載された留め具を備えていることを特徴とするバンド。
【請求項８】
請求項７に記載されたバンドを備えていることを特徴とする時計。
【発明の詳細な説明】
【技術分野】
【０００１】
この発明は、時計や鞄、衣類などのバンドに用いられる留め具、それを備えたバンド、およびそのバンドを備えた時計に関する。
【背景技術】
【０００２】
例えば、バンドの留め具においては、特許文献１に記載されているように、バンドの一端部が取り付けられる第１取付部材と、バンドの他端部が取り付けられて第１取付部材に重なり合う第２取付部材と、これら第１取付部材と第２取付部材とを重ね合わせた状態で係脱可能に係止する係止部と、この係止部による第１取付部材と第２取付部材との係止状態を係脱可能にロックするロック部と、を備えた構成のものが知られている。
【先行技術文献】
【特許文献】
【０００３】
【特許文献１】特開２００５−２６１４７７号公報
【０００４】
この種の留め具のロック部は、係止部を係止状態でロックするロック位置および係止部による係止状態のロックを解除するロック解除位置にスライドするロック部と、このロック部をスライド可能に保持するガイド取付部と、このガイド取付部に設けられてロック部のスライドを規制するスライド規制部と、を備えている。
【０００５】
この場合、ロック部のスライド規制部は、バンドの厚み方向である上下方向に撓み変形する板ばね部を備え、この板ばね部の先端部に係合突起部が設けられ、この係合突起部がロック部のロック位置に設けられたロック凹部と、ロック部のロック解除位置に設けられた解除凹部とのいずれかに、係脱可能に弾力的に係合することにより、ロック部のスライドを規制するように構成されている。
【発明の概要】
【発明が解決しようとする課題】
【０００６】
しかしながら、このようなバンドの留め具では、外部からの衝撃が加わった際に、ロック部がスライド規制部の板ばね部をバンドの厚み方向に押し下げてしまうため、ロック部に対するスライド規制部の係止が弱くなり、外れ易くなる。このため、衝撃が加わった際に、スライド規制部によるロック部のロックが解除されてしまうという問題がある。
【０００７】
この発明が解決しようとする課題は、衝撃などを受けても、係止部に対するロック部によるロック状態を確実に維持することができる留め具、それを備えたバンド、およびそのバンドを備えた時計を提供することである。
【課題を解決するための手段】
【０００８】
この発明は、第１部材と、前記第１部材に重なり合う第２部材と、前記第１部材と前記第２部材とを重ね合わせた状態で係脱可能に係止する係止部と、前記係止部による前記第１部材と前記第２部材との係止状態を係脱可能にロックするロック部と、を備え、前記係止部は、前記第２部材に設けられた係止突起部と、前記第１部材に対してスライド可能に設けられ、前記係止突起部を係脱可能に係止する一対のスライド係止片と、を備えており、前記ロック部は、前記一対のスライド係止片のスライド方向に対して直交する前記第１部材の長手方向にスライドして、前記係止部の前記係止突起部を係止した前記一対のスライド係止片をロックするロック位置または前記係止部の前記一対のスライド係止片のロックを解除するロック解除位置に配置されるロック部材と、前記ロック部材をそのスライド方向に対して直交する前記第１部材の幅方向の両側から挟持して前記係止部の前記ロック位置または前記ロック解除位置に前記ロック部材を規制する挟持規制部材と、を備え、前記挟持規制部材は、前記第１部材に取り付けられた挟持本体部と、前記挟持本体部における前記第１部材の前記幅方向の両端部に設けられて前記ロック部材をそのスライド方向と直交する前記第１部材の前記幅方向の両側から弾力的に挟む一対の板ばね部と、を備えていることを特徴とする留め具である。
【発明の効果】
【０００９】
この発明によれば、ロック部の挟持規制部材によってロック部のロック部材をその両側から確実に挟持することができるので、外部からの衝撃を受けても、係止部に対するロック部によるロックが不用意に解除されることがなく、係止部に対するロック部によるロック状態を確実に維持することができる。
【図面の簡単な説明】
【００１０】
【図１】この発明を腕時計に適用した一実施形態を示した拡大斜視図である。
【図２】図１に示された腕時計の時計バンドに取り付けられたバンド留め具を示した拡大斜視図である。
【図３】図２に示されたバンド留め具を示し、（ａ）はその拡大平面図、（ｂ）はその拡大側面図、（ｃ）は（ａ）のＡ−Ａ矢視における拡大断面図である。
【図４】図２に示されたバンド留め具の第２バンド取付部材を開いて展開させた状態において、その第２バンド取付部材の裏面側を示した拡大斜視図である。
【図５】図２に示されたバンド留め具の係止部を示した拡大平面図である。
【図６】図２に示されたバンド留め具において、第１バンド取付部材を取り除いた状態を示し、（ａ）はその拡大斜視図、（ｂ）はその拡大平面図、（ｃ）はその拡大側面図、（ｄ）は（ｂ）のＢ−Ｂ矢視における拡大断面図である。
【図７】図６に示されたバンド留め具において、ガイド取付部材を取り除いた状態を示し、（ａ）はその拡大斜視図、（ｂ）はその拡大平面図、（ｃ）はその拡大側面図、（ｄ）は（ｂ）のＣ−Ｃ矢視における拡大断面図である。
【図８】図６に示されたバンド留め具のガイド取付部材を示し、（ａ）はその拡大斜視図、（ｂ）はその拡大平面図、（ｃ）はその拡大側面図、（ｄ）は（ｂ）のＤ−Ｄ矢視における拡大断面図である。
【図９】図７に示されたバンド留め具のロック部材を示し、（ａ）はその拡大斜視図、（ｂ）はその拡大平面図、（ｃ）はその拡大側面図、（ｄ）は（ｂ）のＥ−Ｅ矢視における拡大断面図である。
【図１０】図７に示されたバンド留め具の挟持規制部材を示し、（ａ）はその拡大斜視図、（ｂ）はその拡大平面図、（ｃ）はその拡大側面図である。
【発明を実施するための形態】
【００１１】
以下、図１〜図１０を参照して、この発明を腕時計に適用した一実施形態について説明する。
この腕時計は、図１に示すように、腕時計ケース１を備えている。この腕時計ケース１の２時側、３時側、４時側、８時側、９時側には、スイッチ部２がそれぞれ設けられている。また、この腕時計ケース１の１２時側と６時側とには、時計バンド４、５が取り付けられるバンド取付部３が設けられている。
【００１２】
この場合、時計バンド４、５のうち、一方の時計バンド４は、図１に示すように、その一端部４ａが腕時計ケース１の１２時側に位置するバンド取付部３に取り付けられている。また、他方の時計バンド５は、その一端部５ａが腕時計ケース１の６時側に位置するバンド取付部３に取り付けられている。これら時計バンド４、５は、図２に示すように、その各他端部４ｂ、５ｂがバンド留め具６に取り付けられて連結されるように構成されている。
【００１３】
このバンド留め具６は、図２および図３に示すように、一方の時計バンド４が取り付けられる第１バンド取付部材７と、他方の時計バンド５が取り付けられて、第１バンド取付部材７に重なり合う第２バンド取付部材８と、第１バンド取付部材７と第２バンド取付部材８とを重ね合わせた状態で係脱可能に係止する係止部１０と、この係止部１０による第１バンド取付部材７と第２バンド取付部材８との係止状態を係脱可能にロックするロック部１１と、を備えている。
【００１４】
第１バンド取付部材７は、図２および図３に示すように、１２時側の時計バンド４の他端部４ｂが取り付けられるものであり、その時計バンド４の他端部４ｂ側を覆うように構成されている。すなわち、この第１バンド取付部材７は、時計バンド４の他端部４ｂ側の表面に配置される表面部７ａと、この表面部７ａの両端部に設けられて時計バンド４の両側部に対応する一対の側面部７ｂとを備え、これら一対の側面部７ｂの一端部（図２では右端部）に時計バンド４の他端部４ｂが取り付けられるように構成されている。
【００１５】
この場合、第１バンド取付部材７の表面部７ａは、図２および図３に示すように、緩やかに湾曲する長方形状に形成されている。この表面部７ａは、その長手方向と直交する幅方向の長さが時計バンド４の長手方向と直交する幅方向の長さとほぼ同じ長さに形成されている。また、この表面部７ａは、その長手方向の長さがこれと直交する幅方向の長さよりも長く、その約２倍の長さで形成されている。この表面部７ａにおける他端部側（図２では左端部側）には、矩形状の操作開口部１２が設けられている。
【００１６】
また、一対の側面部７ｂは、図２および図３に示すように、表面部７ａの長手方向の長さと同じ長さで、かつ時計バンド４の厚み方向の長さ、つまり上下方向の長さが時計バンド４の厚みとほぼ同じ長さに形成されている。これら一対の側面部７ｂの一端部側（図２では右端部側）には、複数のバンド取付孔１３が側面部７ｂの長手方向に沿って等間隔で設けられている。これにより、時計バンド４は、その他端部４ｂが一対の側面部７ｂにおける複数のバンド取付孔１３のいずれかにピン部材（図示せず）によって取り付けられるように構成されている。
【００１７】
また、これら一対の側面部７ｂにおける他端部側（図２では左端部側）には、図２および図３に示すように、第２バンド取付部材８がピン部材１４ａ（図３（ｃ）参照）によって取り付けられる部材取付孔１４が設けられている。また、一対の側面部７ｂのほぼ中間部には、長方形状の係止挿入孔１５が表面部７ａの操作開口部１２に隣接した状態で設けられている。さらに、これら一対の側面部７ｂには、ガイド取付孔１６が係止挿入孔１５と複数のバンド取付孔１３との間に位置した状態で設けられている。
【００１８】
一方、第２バンド取付部材８は、図４に示すように、第１バンド取付部材７に取り付けられる第１板部１７と、６時側の時計バンド５の他端部５ｂが取り付けられる第２板部１８と、を備え、これらが回転連結部１９によって回転可能に連結されて互いに重なり合うように構成されている。
【００１９】
すなわち、第１板部１７は、図４に示すように、その長手方向の長さが第１バンド取付部材７の長手方向の長さよりも長く、かつその長手方向と直交する幅方向の長さが、時計バンド５の長手方向と直交する幅方向の長さと同じ長さで、ほぼ帯板状に形成されている。この第１板部１７は、第１バンド取付部材７の湾曲と同じ形状に湾曲して形成されている。
【００２０】
この場合、第１板部１７は、図４に示すように、その幅方向における中間部に嵌合孔１７ａが第１板部１７の長手方向の全長に亘って設けられた構成になっている。また、この第１板部１７は、その一端部（図４では右端部）に部材取付部１７ｂが設けられ、この部材取付部１７ｂが第１バンド取付部材７の部材取付孔１４にピン部材１４ａ（図３（ｃ）参照）によって回転可能に取り付けられるように構成されている。
【００２１】
第２板部１８は、図４に示すように、第１板部１７の嵌合孔１７ａに嵌合する帯板状をなし、第１板部１７の湾曲と同じ形状に湾曲して形成されている。この第２板部１８は、その一端部（図４では左端部）にバンド取付部１８ａが設けられ、このバンド取付部１８ａに６時側の時計バンド５の他端部５ｂが取り付けられるように構成されている。この場合、第２板部１８には、第１板部１７の嵌合孔１７ａ内に設けられた連結部１７ｃに嵌合する嵌合凹部１８ｂが設けられている。
【００２２】
また、この第１板部１７と第２板部１８とは、図４に示すように、第１板部１７の他端部（図４では右端部）と第２板部１８の他端部（図４では左端部）とが回転連結部１９によって回転可能に連結されている。これにより、第２バンド取付部８は、第１板部１７が第１バンド取付部材７に取り付けられた状態で、回転連結部１９を中心に第１板部１７と第２板部１８とが回転して重なり合った際に、第２板部１８が第１板部１７の嵌合孔１７ａに嵌合し、この状態で第１バンド取付部材７内に配置されて重なり合うように構成されている。
【００２３】
ところで、このバンド留め具６の係止部１０は、図３〜図５に示すように、第２バンド取付部８の第２板部１８に起立して設けられた係止突起部２０（図４参照）と、第１バンド取付部材７に対してスライド可能に設けられて、係止突起部２０を係脱可能に挟み付けて係止する一対のスライド係止片２１（図５参照）と、を備えている。
【００２４】
係止突起部２０は、図４に示すように、その先端部がほぼ円錐形状の頭部を有するピン状部材であり、第２板部１８の裏面（図４では表面）に起立して設けられている。この係止突起部２０は、図３（ｃ）に示すように、第２板部１８が第１板部１７の嵌合孔１７ａに嵌合して、第２バンド取付部材８が折り畳まれた状態で第１バンド取付部材７内に重なり合って配置された際に、第１バンド取付部材７の表面部７ａに向けて突出して接近するように構成されている。
【００２５】
一対のスライド係止片２１は、図５に示すように、第１バンド取付部材７内に配置された係止保持部材２２にスライド可能に配置され、この状態で一対のばね部材２３のばね力によって第１バンド取付部材７の一対の側面部７ｂに設けられた各係止挿入孔１５に挿入されて外部に押し出される方向に付勢されることにより、第２バンド取付部８の係止突起部２０を挟んで係止するように構成されている。
【００２６】
この場合、係止保持部材２２は、図５に示すように、ほぼ平板状に形成され、その両端部が第１バンド取付部材７の一対の側面部７ｂに設けられた各係止挿入孔１５に対応した状態で、第１バンド取付部材７内に配置され、この状態で第１バンド取付部材７にピン部材１４ａ（図３（ｃ）参照）によって第１板部１７の部材取付部１７ｂと共に取り付けられるように構成されている。
【００２７】
すなわち、この係止保持部材２２は、図５に示すように、その一側部に保持取付部２２ｂが設けられ、この保持取付部２２ｂが第１バンド取付部材７の部材取付孔１４にピン部材１４ａによって第２バンド取付部材８の第１板部１７と共に取り付けられるように構成されている。この係止保持部材２２のほぼ中心部には、第１バンド取付部材７内に第２バンド取付部８が折り畳まれて配置された際に、第２バンド取付部８の係止突起部２０が挿入する突起挿入孔２２ａが設けられている。
【００２８】
一方、係止部１０の一対のスライド係止片２１それぞれは、図３および図５に示すように、第１バンド取付部材７の長手方向に対して直交する幅方向にスライドするものであり、第１バンド取付部材７の側面部７ｂの係止挿入孔１５にその内部側から外部側に向けて挿入する操作頭部２１ａと、この操作頭部２１ａから係止保持部材２２の突起挿入孔２２ａの側方を通って突起挿入孔２２ａの反対側に延設された係止フック２１ｂと、を備えている。
【００２９】
この場合、一対のスライド係止片２１の各係止フック２１ｂは、図５に示すように、その各先端部が係止保持部材２２の突起挿入孔２２ａを挟んでそのスライド方向に互いに対向し、この状態で各先端部が互いに接離可能に接近して係止突起部２０を挟むように構成されている。
【００３０】
また、一対のばね部材２３は、図５に示すように、一対のスライド係止片２１における各操作頭部２１ａの間において、各係止フック２１ｂの各外側部に沿って配置されている。すなわち、これら一対のばね部材２３は、各操作頭部２１ａを第１バンド取付部材７の側面部７ｂの係止挿入孔１５から外部に向けて押し出す方向に付勢することにより、一対の係止フック２１ｂの各先端を係止保持部材２２の突起挿入孔２２ａ上において互いに接近させるように構成されている。
【００３１】
これにより、係止部１０は、図５に示すように、一対のスライド係止片２１の各操作頭部２１ａが第１バンド取付部材７の側面部７ｂの係止挿入孔１５に挿入された状態で、一対のばね部材２３のばね力によって各操作頭部２１ａが第１バンド取付部材７の外部に押し出されると共に、一対の係止フック２１ｂの各先端が係止保持部材２２の突起挿入孔２２ａを挟んで互いに接近するように構成されている。
【００３２】
また、この係止部１０は、図５に示すように、一対のばね部材２３のばね力によって一対の係止フック２１ｂの各先端が係止保持部材２２の突起挿入孔２２ａを挟んで互いに接近した際に、一対の係止フック２１ｂの各先端が係止保持部材２２の突起挿入孔２２ａに挿入された第２バンド取付部８の係止突起部２０を挟み付けることにより、第１バンド取付部材７と第２バンド取付部８とを係止するように構成されている。
【００３３】
さらに、この係止部１０は、図５に示すように、一対のばね部材２３のばね力に抗して、一対のスライド係止片２１の各操作頭部２１ａを第１バンド取付部材７の側面部７ｂ内に向けて押し込んだ際に、一対の係止フック２１ｂの各先端が係止保持部材２２の突起挿入孔２２ａ上において互いに離れることにより、係止保持部材２２の突起挿入孔２２ａに挿入された第２バンド取付部８の係止突起部２０に対する挟み付けを解除して、第１バンド取付部材７と第２バンド取付部８との係止を解除するように構成されている。
【００３４】
一方、このバンド留め具６のロック部１１は、図３、図６および図７に示すように、係止部１０をロックするロック位置および係止部１０に対するロックを解除するロック解除位置にスライドするロック部材２４と、このロック部材２４をそのスライド方向に対して直交する幅方向の両側から挟持してロック部材２４のスライドを規制する挟持規制部材２５と、ロック部材２４をスライド可能に保持するガイド取付部材２６と、を備えている。
【００３５】
ガイド取付部材２６は、図６および図８に示すように、第１バンド取付部材７内に取り付けられるガイド本体部２７と、このガイド本体部２７に設けられてロック部材２４の上面側をガイドする一対の上側ガイド部２８と、ガイド本体部２７に設けられてロック部材２４の下面側をガイドする下側ガイド部２９と、を備え、これらが金属板で一体に形成されている。
【００３６】
この場合、ガイド本体部２７は、図６および図８に示すように、その上面が第１バンド取付部材７の表面部７ａの内面に接近し、両側部が第１バンド取付部材７の両側に位置する各側面部７ｂの内面に接近し、この状態で各側面部７ｂの係止挿入孔１５と複数のバンド取付孔１３との間に位置する第１バンド取付部材７内に配置されて、第１バンド取付部材７の側面部７ｂのガイド取付孔１６にピン部材１６ａ（図３（ｃ）参照）によって取り付けられるように構成されている。
【００３７】
一対の上側ガイド部２８は、図６および図８に示すように、ガイド本体部２７の上部における両側から係止部１０の上側を通り、第１バンド取付部材７の表面部７ａに設けられた操作開口部１２の両側に配置されるように構成されている。これら一対の上側ガイド部２８には、ガイド取付部材２６の傾きを防止するための傾き防止突起部２８ａが設けられている。
【００３８】
すなわち、この傾き防止突起部２８ａは、図６（ａ）および図６（ｃ）に示すように、係止部１０から左側に離れた位置、つまり係止部１０と第２バンド取付部材８の部材取付部１１７ｂとの間に位置した状態で下側に突出して設けられている。また、これら一対の上側ガイド部２８には、切欠き部２８ｂが係止部１０の操作頭部２１ａに対応して設けられている。
【００３９】
下側ガイド部２８は、図６および図８に示すように、ロック部材２４を保持して一対の上側ガイド部２８との間にスライド可能に挟み付けた状態でガイドするように構成されている。すなわち、この下側ガイド部２９は、ガイド本体部２７の上部における中間部から係止部１０の上側を通り、第１バンド取付部材７の表面部７ａに設けられた操作開口部１２の下側に配置されるように構成されている。
【００４０】
この場合、下側ガイド部２９には、図６および図８に示すように、第２バンド取付部８の係止突起部２０が挿入可能な開口部２９ａが、係止部１０の係止保持部材２２の突起挿入孔２２ａに対応して設けられている。また、この下側ガイド部２９の先端部、つまり第１バンド取付部材７の表面部７ａに設けられた操作開口部１２側に位置する下側ガイド部２９の先端部には、ロック部材２４を弾力的に押し上げる押え部２９ｂが上側に突出して設けられている。
【００４１】
これにより、ガイド取付部材２６は、図６および図８に示すように、ガイド本体部２７の両側に設けられた一対の上側ガイド部２８でロック部材２４の両側上部を押え、ガイド本体部２７の中間部に設けられた下側ガイド部２９でロック部材２４の中間部を下側から保持し、この状態で下側ガイド部２９の押え部２９ｂでロック部材２４を弾力的に保持することにより、ロック部材２４をガタついたり、緩んだりせずにスライド可能に保持するように構成されている。
【００４２】
ロック部材２４は、図６、図７および図９に示すように、係止部１０の一対のスライド係止片２１のスライド方向に対して直交する方向、すなわち第１バンド取付部材７の長手方向に沿ってスライドするロック本体部３０と、このロック本体部３０の両側部に設けられて、ロック本体部３０のスライドに応じて一対のスライド係止片２１における各操作頭部２１ａの各内端部に接離可能に当接することにより、一対のスライド係止片２１を係止する一対のロック係止部３１と、を備えている。
【００４３】
ロック本体部３０は、図６、図７および図９に示すように、ほぼ平板状に形成され、第１バンド取付部材７の表面部７ａに設けられた操作開口部１２の下側に配置されるように構成されている。このロック本体部３０には、操作部３０ａが上方に向けて突出するように折り曲げられて設けられている。この操作部３０ａは、第１バンド取付部材７の操作開口部１２内にその下側から挿入されて上方に突出し、この状態で操作開口部１２内を第１バンド取付部材７の長手方向に沿ってスライドするように構成されている。
【００４４】
この場合、ロック本体部３０は、図６、図７および図９に示すように、その平板部の下面に下板部３０ｂが重ね合わされ、この重ね合わされた下板部３０ｂの両側がロック本体部３０におけるスライド方向と直交する幅方向の両側から突出し、この突出した両側部３０ｃがガイド取付部材２６の一対の上側ガイド部２８によってガイドされるように構成されている。
【００４５】
また、このロック本体部３０におけるスライド方向と直交する幅方向に位置する両側部３０ｃには、図６、図７および図９に示すように、後述する挟持規制部材２５の板ばね部３５が係脱可能に係合するロック凹部３２とロック解除凹部３３とが、ガイド取付部材２６の上側ガイド部２８の切欠き部２８ｂに対応して設けられている。
【００４６】
この場合、ロック凹部３２は、図９（ｂ）に示すように、ロック部１１が係止部１０をロックするロック位置に対応する箇所、つまりロック本体部３０の両側部３０ｃにおける操作部３０ａ側に位置する箇所に設けられている。また、ロック解除凹部３３は、ロック部１１による係止部１０のロックを解除するロック解除位置に対応する箇所、つまりロック本体部３０の両側部３０ｃにおける操作部３０ａと反対側に位置する箇所に設けられている。
【００４７】
一対のロック係止部３１は、図６、図７および図９に示すように、ロック本体部３０におけるスライド方向と直交する幅方向に位置する両側部３０ｃの下部に設けられている。すなわち、これら一対のロック係止部３１は、ロック本体部３０がスライドしてロック部１１が係止部１０をロックしたロック状態のときに、係止部１０の一対のスライド係止片２１における各操作頭部２１ａの内端部に向けて移動してその内端部に当接することにより、スライド係止片２１の押込み動作を阻止するように構成されている。
【００４８】
また、これら一対のロック係止部３１は、図６、図７および図９に示すように、ロック本体部３０がスライドしてロック部１１による係止部１０のロックを解除したロック解除状態のときに、係止部１０の一対のスライド係止片２１における各操作頭部２１ａの内端部からスライド方向に離れて離脱することにより、スライド係止片２１の押込み動作を可能な状態にするように構成されている。
【００４９】
一方、このロック部１１の挟持規制部材２５は、図６、図７および図１０に示すように、第１バンド取付部材７にガイド取付部材２６と共に取り付けられる挟持本体部３４と、この挟持本体部３４の両端部に設けられてロック部材２４をそのスライド方向と直交する幅方向の両側から弾力的に挟む一対の板ばね部３５と、を備えている。
【００５０】
挟持本体部３４は、図６、図７および図１０に示すように、ガイド取付部材２６のガイド本体部２７の下側に配置され、このガイド本体部２７が第１バンド取付部材７の側面部７ｂのガイド取付孔１６にピン部材１６ａ（図６（ｄ）参照）によって取り付けられる際に、ガイド取付部材２６と共にピン部材１６ａによって第１バンド取付部材７に取り付けられるように構成されている。
【００５１】
一対の板ばね部３５は、図７および図１０に示すように、ロック部材２４のロック本体部３０の両側から突出した両側部３０ｃに沿って配置され、ロック本体部３０の両側部３０ｃをその両側から弾力的に挟むように構成されている。これら一対の板ばね部３５の各先端部には、ロック本体部３０のスライド動作に応じて、ロック本体部３０の両側部３０ｃに設けられたロック凹部３２とロック解除凹部３３とのいずれかに係脱可能に係合する係合突起部３５ａが設けられている。
【００５２】
これにより、挟持規制部材２５は、図７および図１０に示すように、ロック部材２４がスライドして、ロック本体部３０の操作部３０ａが第１バンド取付部材７の操作開口部１２内において、ガイド取付孔１６に取り付けられたピン部材１６ａ側に位置した際に、一対の板ばね部３５の各係合突起部３５ａがロック本体部３０の両側部３０ｃに位置する各ロック凹部３２に係合することにより、ロック部材２４をその両側から弾力的に挟み付けてロックするように構成されている。
【００５３】
また、この挟持規制部材２５は、図７および図１０に示すように、ロック部材２４が反対方向にスライドして、ロック本体部３０の操作部３０ａが第１バンド取付部材７の操作開口部１２内において、部材取付孔１４に取り付けられたピン部材１４ａ側に位置した際に、一対の板ばね部３５の各係合突起部３５ａがロック本体部３０の両側部３０ｃに位置する各ロック解除凹部３３に係合することにより、ロック部材２４をその両側から弾力的に挟み付けてロックするように構成されている。
【００５４】
この場合、挟持規制部材２５は、図７および図１０に示すように、一対の板ばね部３５をそれぞれロック部材２４の両側に押し付ける一対の押え突起部３６を備えている。これら一対の押え突起部３６は、一対の板ばね部３５の各付根部に位置する挟持本体部３４の両側下部から第１バンド取付部材７の各側面部７ｂに向けて突出し、この突出した各先端部がガイド取付部材２６のガイド本体部２７の内面下部に当接することにより、一対の板ばね部３５それぞれをロック部材２４の両側部３０ｃに押し付けるように構成されている。
【００５５】
次に、このような腕時計におけるバンド留め具６の作用について説明する。
この腕時計を腕に取り付ける場合には、まず、バンド留め具６の係止部１０による第１バンド取付部材７に対する第２バンド取付部材８の係止を解除し、この状態で第１バンド取付部材７に対して第２バンド取付部８を回転させて開放させ、第１バンド取付部材７に対する第２バンド取付部材８の重なりを解除する。
【００５６】
この場合、係止部１０による第１バンド取付部材７に対する第２バンド取付部材８の係止を解除する際には、係止部１０の一対のスライド係止片２１の各操作頭部２１ａを一対のばね部材２３のばね力に抗して、第１バンド取付部材７の側面部７ｂ内に向けて押し込む。すると、一対の係止フック２１ｂの各先端が係止保持部材２２の突起挿入孔２２ａ上において互いに離れる。
【００５７】
これにより、係止保持部材２２の突起挿入孔２２ａに挿入された第２バンド取付部８の係止突起部２０に対する一対の係止フック２１ｂの挟み付けが解除され、第１バンド取付部材７と第２バンド取付部８との係止が解除される。この状態で、第１バンド取付部材７の部材取付孔１４に取り付けられたピン部材１４ａを中心に、第２バンド取付部８を第１バンド取付部材７の下側に向けて回転させて開放させる。
【００５８】
すると、第２バンド取付部８の係止突起部２０が係止保持部材２２の突起挿入孔２２ａから下側に離脱し、第１バンド取付部材７に対する第２バンド取付部材８の重なりが解除される。この状態で、第２バンド取付部材８の第１板部１７と第２板部１８との回転連結部１９を中心に、第１板部１７と第２板部１８とを相互に開く方向に回転させる。
【００５９】
これにより、第１板部１７と第２板部１８とが開いて展開され、時計バンド４、５とバンド留め具６とが大きなリング形状になる。この状態で、時計バンド４、５とバンド留め具６とのリング状内に腕を挿入させて、バンド留め具６の第１バンド取付部材７と第２バンド取付部材８とを折り畳んで係止させると、時計バンド４、５が腕に締め付けられて腕時計ケース１が腕に取り付けられる。
【００６０】
すなわち、このときには、まず、第２バンド取付部材８の第１板部１７と第２板部１８との回転連結部１９を中心に第１板部１７と第２板部１８とを回転させて重ね合わせて、第２板部１８を第１板部１７の嵌合孔１７ａに嵌合させる。この重なり合った第１板部１７と第２板部１８とを第１バンド取付部材７内に配置させて重ね合わせる。すると、第２バンド取付部８の第２板部１８に設けられた係止部１０の係止突起部２０が、第１板部１７の嵌合孔１７ａから係止保持部材２２の突起挿入孔２２ａに挿入される。
【００６１】
このときには、係止部１０の係止突起部２０が係止保持部材２２の突起挿入孔２２ａから一対のスライド係止片２１における各係止フック２１ｂの各先端間に挿入される。すなわち、係止突起部２０が各係止フック２１ｂの各先端間に挿入する際には、一対のばね部材２３のばね力に抗して、係止突起部２０が互いに対向する各係止フック２１ｂの各先端を押し広げる。
【００６２】
そして、係止突起部２０が各係止フック２１ｂの各先端間に挿入されると、一対のばね部材２３のばね力によって各係止フック２１ｂの各先端が係止突起部２０を挟み付ける。これにより、折り畳まれて重ね合わされた状態の第１バンド取付部材７と第２バンド取付部材８とを係止部１０が係止する。
【００６３】
このように、係止部１０における各係止フック２１ｂの各先端が係止突起部２０を挟み付ける際には、一対のスライド係止片２１の各操作頭部２１ａが第１バンド取付部材７の一対の側面部７ｂに設けられた係止挿入孔１５内を出没方向に移動して外部に押し出された状態になる。
【００６４】
この状態では、ロック部１１によって係止部１０がロックされていない。すなわち、このときには、ロック部材２４のロック本体部３０の操作部２４ａが、第１バンド取付部材７の表面部７ａの操作開口部１２内における部材取付孔１４のピン部材１４ａ側に位置している。このため、挟持規制部材２５の一対の板ばね部３５の各先端部に設けられた係合突起部３５ａが、ロック本体部３０の両側部３０ｃに設けたロック解除凹部３３に係合している。
【００６５】
これにより、ロック本体部３０がガイド取付部材２６に沿ってスライドしないように、ロック解除位置に規制されている。この状態では、ロック本体部３０の両側部３０ｃに設けられた一対のロック係止部３１が、係止部１０の一対のスライド係止片２１における各操作頭部２１ａの各内端部からロック本体部３０のスライド方向に離れて離脱している。
【００６６】
このため、第１バンド取付部材７における一対の側面部７ｂにそれぞれ設けられた各係止挿入孔１５から突出している一対のスライド係止片２１における各操作頭部２１ａが、押し込み方向に操作可能な状態になっている。この状態では、一対のスライド係止片２１における各操作頭部２１ａを押圧操作すると、一対のスライド係止片２１の各係止フック２１ｂによる係止突起部２０の挟み付けが解除されてしまう。
【００６７】
これを防ぐために、ロック部材２４のロック本体部３０に設けられた操作部３０ａをスライド操作させて、挟持規制部材２５の一対の板ばね部３５のばね力による挟持力に抗して、ロック本体部３０をスライドさせ、操作部３０ａを第１バンド取付部材７の表面部７ａに設けられた操作開口部１２内におけるガイド取付孔１６のピン部材１６ａ側に移動させる。
【００６８】
すると、挟持規制部材２５の一対の板ばね部３５の各先端部に設けられた係合突起部３５ａが、ロック本体部３０の両側部３０ｃに設けた各ロック解除凹部３３から離脱して、各ロック凹部３２に係合する。このときには、ロック本体部３０の両側部３０ｃに設けられた一対のロック係止部３１が、係止部１０の一対のスライド係止片２１における各操作頭部２１ａの各内端部に向けて移動してその内端部に当接する。
【００６９】
これにより、一対のスライド係止片２１における各操作頭部２１ａが一対のロック係止部３１によって係止され、係止部１０がロック部１１によってロックされる。このため、各操作頭部２１ａが押圧されても、各操作頭部２１ａが第１バンド取付部材７内に押し込まれることがない。
【００７０】
また、このときには、挟持規制部材２５の挟持本体部３４の両側下部に設けられた一対の押え突起部３６が一対の板ばね部３５それぞれをロック部材２４の両側部３０ｃに押し付けているので、一対の板ばね部３５の各係合突起部３５ａがロック本体部３０の各ロック凹部３２に押し付けられて係合している。
【００７１】
このような状態では、バンド留め具６が外部から衝撃を受けても、ロック部１１の挟持規制部材２５によってロック部１１のロック部材２４がその両側から確実にかつ強固に挟持されていることにより、係止部１０に対するロック部１１によるロックが不用意に解除されることがなく、係止部１０に対するロック部１１によるロック状態が確実に維持される。このため、バンド留め具６が外部から衝撃を受けても、腕時計ケース１および時計バンド４、５が腕から不用意に外れることがない。
【００７２】
また、腕時計ケース１および時計バンド４、５を腕から取り外す際には、ロック部材２４のロック本体部３０に設けられた操作部３０ａをスライド操作させて、挟持規制部材２５の一対の板ばね部３５のばね力による挟持力に抗して、ロック本体部３０をスライドさせ、操作部３０ａを第１バンド取付部材７の表面部７ａに設けられた操作開口部１２内において、部材取付孔１４のピン部材１４ａ側に移動させる。これにより、挟持規制部材２５の一対の板ばね部３５の各先端部に設けられた係合突起部３５ａが、ロック本体部３０の両側部３０ｃに設けた各ロック凹部３２から離脱して、各ロック解除凹部３３に係合する。
【００７３】
この状態では、ロック本体部３０の両側部３０ｃに設けられた一対のロック係止部３１が、係止部１０の一対のスライド係止片２１における各操作頭部２１ａの各内端部からロック本体部３０のスライド方向に離れて離脱する。このため、第１バンド取付部材７における一対の側面部７ｂにそれぞれ設けられた各係止挿入孔１５から突出している一対のスライド係止片２１における各操作頭部２１ａが押し込み方向に操作可能な状態になる。
【００７４】
これにより、一対のスライド係止片２１における各操作頭部２１ａを押圧操作して、係止部１０の一対のスライド係止片２１における各係止フック２１ｂによる係止突起部２０の挟み付けを解除することができる。このため、第１バンド取付部材７と第２バンド取付部８との係止が解除され、第１バンド取付部材７に対して第２バンド取付部８を回転させて開放させ、バンド留め具６を開いて展開させることにより、時計バンド４、５を腕から取り外すことができる。
【００７５】
このように、この腕時計のバンド留め具６によれば、第１バンド取付部材７と第２バンド取付部材８とを重ね合わせた状態で係脱可能に係止する係止部１０と、この係止部１０による第１バンド取付部材７と第２バンド取付部材８との係止状態を係脱可能にロックするロック部１１と、を備え、このロック部１１が、係止部１０を係止状態でロックするロック位置および係止部１０による係止状態のロックを解除するロック解除位置にスライドするロック部材２４と、このロック部材２４をそのスライド方向に対して直交する方向の両側から挟持してロック部材２４のスライドを規制する挟持規制部材２５と、を備えているので、衝撃などを受けても、係止部１０に対するロック部１１によるロック状態を確実に維持することができる。
【００７６】
すなわち、この腕時計のバンド留め具６では、ロック部１１の挟持規制部材２５によってロック部１１のロック部材２４をその両側から確実にかつ強固に挟持することができるので、外部からの衝撃を受けても、係止部１０に対するロック部１１によるロックが不用意に解除されることがなく、係止部１０に対するロック部１１によるロック状態を確実にかつ良好に維持することができる。
【００７７】
また、この腕時計のバンド留め具６では、係止部１０が、第２バンド取付部材８に設けられた係止突起部２０と、第１バンド取付部材７に対してスライド可能に設けられて係止突起部２０を係脱可能に挟み付けて係止する一対のスライド係止片２１と、を備えていることにより、第１バンド取付部材７と第２バンド取付部材８とを重ね合わせた際に、第２バンド取付部材８の係止突起部２０を一対のスライド係止片２１の間に配置させることができるので、この係止突起部２０を一対のスライド係止片２１で確実に挟み付けることができる。
【００７８】
この場合、係止部１０の一対のスライド係止片２１は、第１バンド取付部材７内に配置された係止保持部材２２にスライド可能に配置され、この状態で一対のばね部材２３のばね力によって第１バンド取付部材７の一対の側面部７ｂに設けられた各係止挿入孔１５に挿入されて外部に押し出される方向に付勢されるので、一対のばね部材２３のばね力による一対のスライド係止片２１の挟持力によって、第２バンド取付部８の係止突起部２０を弾力的に挟んで確実にかつ良好に係止することができる。
【００７９】
すなわち、一対のスライド係止片２１は、第１バンド取付部材７の側面部７ｂの係止挿入孔１５にその内部側から挿入する操作頭部２１ａと、この操作頭部２１ａから係止保持部材２２の突起挿入孔２２ａの側方を通って突起挿入孔２２ａの反対側に延設された係止フック２１ｂと、を備えているので、第１バンド取付部材７の側面部７ｂの係止挿入孔１５に挿入された各操作頭部２１ａが、一対のばね部材２３のばね力によって押し出される際に、一対の係止フック２１ｂの各先端を互いに接近させて係止保持部材２２の突起挿入孔２２ａに挿入された係止突起部２０を確実に挟み付けることができる。
【００８０】
また、これら一対のスライド係止片２１は、一対のばね部材２３のばね力に抗して一対のスライド係止片２１の各操作頭部２１ａを第１バンド取付部材７の側面部７ｂ内に向けて押し込んだ際に、一対の係止フック２１ｂの各先端を互いに離すことができるので、係止保持部材２２の突起挿入孔２２ａに挿入された第２バンド取付部８の係止突起部２０に対する挟み付けを確実に解除することができ、これにより第１バンド取付部材７と第２バンド取付部８との係止を良好に解除することができる。
【００８１】
また、このバンド留め具６では、ロック部１１のロック部材２４が、一対のスライド係止片２１のスライド方向に対して直交する方向にスライドするロック本体部３０と、このロック本体部３０の両側部３０ｃに設けられ、ロック本体部３０のスライドに応じて一対のスライド係止片２１それぞれに接離可能に当接して係止する一対のロック係止部３１と、を備えているので、ロック本体部３０をスライドさせて一対のロック係止部３１を一対のスライド係止片２１に当接させて係止させることができ、これにより一対のスライド係止片２１を確実にロックすることができる。
【００８２】
すなわち、このロック部１１の一対のロック係止部３１は、ロック本体部３０におけるスライド方向と直交する方向に位置する両側部３０ｃに設けられていることにより、ロック本体部３０をスライドさせた際に、係止部１０の一対のスライド係止片２１における各操作頭部２１ａの内端部に向けて一対のロック係止部３１をスライドさせて、操作頭部２１ａの内端部に当接させることができ、これによりスライド係止片２１の押込み動作を阻止することができるので、係止部１０を確実にロックすることができる。
【００８３】
また、これら一対のロック係止部３１は、ロック本体部３０を反対方向にスライドさせると、一対のロック係止部３１を係止部１０の一対のスライド係止片２１における各操作頭部２１ａの内端部からスライド方向に離して離脱させることができ、これによりスライド係止片２１の押込み動作を可能な状態にすることができるので、係止部１０のロックを容易に解除することができる。
【００８４】
また、このロック部１１の挟持規制部材２５は、第１バンド取付部材７にガイド取付部材２６と共に取り付けられる挟持本体部３４と、この挟持本体部３４の両端部に設けられてロック部材２４をその両側から弾力的に挟む一対の板ばね部３５と、を備えていることにより、一対の板ばね部３５のばね力によってロック部材２４をその両側から確実に挟み付けることができ、これにより外部から衝撃を受けても、ロック部材２４が不用意にスライドしないように、ロック部材２４を確実にロックすることができる。
【００８５】
この場合、ロック本体部３０のスライド方向と直交する幅方向に位置する両側部３０ｃには、係止部１０をロックするロック位置に対応するロック凹部３２と、係止部１０のロックを解除するロック解除位置に対応するロック解除凹部３３とが設けられ、挟持規制部材２５の一対の板ばね部３５には、ロック本体部３０のスライド動作に応じて、ロック凹部３２とロック解除凹部３３とのいずれかに係脱可能に係合する係合突起部３５ａが設けられていることにより、ロック部材２４を確実にロックすることができる。
【００８６】
すなわち、挟持規制部材２５は、ロック部材２４がスライドした際に、一対の板ばね部３５の各係合突起部３５ａをロック本体部３０の両側部３０ｃに設けられた各ロック凹部３２に係合させることができるので、ロック部材２４をロック位置に確実に位置規制してロックすることができる。
【００８７】
また、この挟持規制部材２５は、ロック部材２４が反対方向にスライドした際に、一対の板ばね部３５の各係合突起部３５ａをロック本体部３０の両側部３０ｃに設けられた各ロック解除凹部３３に係合させることができるので、ロック部材２４をロック解除位置に確実に位置規制してロックすることができる。
【００８８】
この場合、挟持規制部材２５は、一対の板ばね部３５それぞれをロック部材２４の両側に押し付ける一対の押え突起部３６を備えているので、一対の押え突起部３６によって一対の板ばね部３５それぞれをロック部材２４の両側部３０ｃに確実に押し付けることができるので、外部から衝撃を受けても、一対の板ばね部３５の各係合突起部３５ａをロック本体部３０のロック凹部３２とロック解除凹部３３といずれかに係合させた状態を確実に維持することができる。
【００８９】
また、この腕時計のバンド留め具６は、ロック部１１が、ロック部材２４をスライド可能に保持するガイド取付部材２６を備えていることにより、ロック部材２４が挟持規制部材２５によってロック部材２４のスライド方向に対して直交する幅方向の両側から挟持されていても、ガイド取付部材２６によってロック部材２４を円滑にかつ良好にスライドさせることができ、これにより係止部１０を係止状態でロックするロック位置と係止部１０による係止状態のロックを解除するロック解除位置とにロック部材２４を良好にスライドさせることができる。
【００９０】
すなわち、このガイド取付部材２６は、第１バンド取付部材７内に取り付けられるガイド本体部２７と、このガイド本体部２７に設けられてロック部材２４の上面側をガイドする一対の上側ガイド部２８と、ガイド本体部２７に設けられてロック部材２４の下面側をガイドする下側ガイド部２９と、を備えているので、一対の上側ガイド部２８と下側ガイド部２９との間にロック部材２４をスライド可能な状態で保持することができ、これにより一対の上側ガイド部２８と下側ガイド部２９とによってロック部材２４を良好にガイドすることができる。
【００９１】
この場合、ガイド取付部材２６は、ロック部材２４をスライド可能に押える押え部２９ｂを備えていることにより、ガイド本体部２７の両側に設けられた一対の上側ガイド部２８でロック部材２４の両側上部を押え、ガイド本体部２７の中間部に設けられた下側ガイド部２９でロック部材２４の中間部を下側から保持し、この状態で下側ガイド部２９の押え部２９ｂがロック部材２４を弾力的に保持することができるので、ロック部材２４をガタついたり、緩んだりせずにスライド可能な状態で良好に保持することができる。
【００９２】
なお、上述した実施形態では、バンド留め具６を腕時計の時計バンド４、５に用いた場合について述べたが、この発明はこれに限らず、例えば鞄やバッグなどのベルトなどのバンドに適用することができるほか、ズボンなどの衣服に用いられるベルトなどのバンドにも適用することができる。
【００９３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９４】
（付記）
請求項１に記載の発明は、第１部材と、前記第１部材に重なり合う第２部材と、前記第１部材と前記第２部材とを重ね合わせた状態で係脱可能に係止する係止部と、前記係止部による前記第１部材と前記第２部材との係止状態を係脱可能にロックするロック部と、を備え、前記ロック部は、前記係止部をロックするロック位置および前記係止部のロックを解除するロック解除位置にスライドするロック部材と、前記ロック部材をそのスライド方向に対して直交する方向の両側から挟持して前記ロック部材のスライドを規制する挟持規制部材と、を備えていることを特徴とする留め具である。
【００９５】
請求項２に記載の発明は、請求項１に記載の留め具において、前記係止部は、前記第２部材に設けられた係止突起部と、前記第１部材に対してスライド可能に設けられ、前記係止突起部を係脱可能に係止する一対のスライド係止片と、を備えていることを特徴とする留め具である。
【００９６】
請求項３に記載の発明は、請求項１または請求項２に記載の留め具において、前記ロック部材は、前記一対のスライド係止片のスライド方向に対して直交する方向にスライドするロック本体部と、前記ロック本体部の両側部に設けられ、前記ロック本体部のスライドに応じて前記一対のスライド係止片それぞれに接離可能に当接して係止する一対のロック係止部と、を備えていることを特徴とする留め具である。
【００９７】
請求項４に記載の発明は、請求項１〜請求項３のいずれかに記載の留め具において、前記挟持規制部材は、前記第１部材に取り付けられる挟持本体部と、前記挟持本体部の両端部に設けられて前記ロック部材をその両側から挟む一対の板ばね部と、を備えていることを特徴とする留め具である。
【００９８】
請求項５に記載の発明は、請求項３または請求項４に記載の留め具において、前記ロック本体部のスライド方向と直交する方向に位置する両側部には、前記係止部をロックする前記ロック位置に対応するロック凹部と、前記係止部に対するロックを解除する前記ロック解除位置に対応するロック解除凹部とが設けられ、前記挟持規制部材の前記一対の板ばね部には、前記ロック本体部のスライド動作に応じて、前記ロック凹部と前記ロック解除凹部とのいずれかに係脱可能に係合する係合突起部が設けられていることを特徴とする留め具である。
【００９９】
請求項６に記載の発明は、請求項４または請求項５に記載の留め具において、前記挟持規制部材は、前記一対の板ばね部それぞれを前記ロック部材の両側に押し付ける押え突起部を備えていることを特徴とする留め具である。
【０１００】
請求項７に記載の発明は、請求項１〜請求項６のいずれかに記載の留め具において、前記ロック部は、前記ロック部材をスライド可能に保持するガイド取付部材を備え、前記ガイド取付部材は、前記ロック部材をスライド可能に押える押え部を備えていることを特徴とする留め具である。
【０１０１】
請求項８に記載の発明は、請求項１〜請求項７のいずれかに記載された留め具を備えていることを特徴とするバンドである。
【０１０２】
請求項９に記載の発明は、請求項８に記載されたバンドを備えていることを特徴とする時計である。
【符号の説明】
【０１０３】
１  腕時計ケース
３  バンド取付部
４、５  時計バンド
６  バンド留め具
７  第１バンド取付部材
８  第２バンド取付部材
１０  係止部
１１  ロック部
２０  係止突起部
２１  スライド係止片
２１ａ  操作頭部
２１ｂ  係止フック
２２  係止保持部材
２３  ばね部材
２４  ロック部材
２５  挟持規制部材
２６  ガイド取付部材
２７  ガイド本体部
２８  上側ガイド部
２９  下側ガイド部
２９ａ  押え部
３０  ロック本体部
３０ａ  操作部
３０ｃ  両側部
３１  ロック係止部
３２  ロック凹部
３３  ロック解除凹部
３４  挟持本体部
３５  板ばね部
３５ａ  係合突起部
３６  押え突起部
【図１】
0006365945.tif 000002
【図２】
0006365945.tif 000003
【図３】
0006365945.tif 000004
【図４】
0006365945.tif 000005
【図５】
0006365945.tif 000006
【図６】
0006365945.tif 000007
【図７】
0006365945.tif 000008
【図８】
0006365945.tif 000009
【図９】
0006365945.tif 000010
【図１０】
0006365945.tif 000011